(57)【特許請求の範囲】
【請求項１】
上方に開口を有し、液体が収納可能な略有底筒状の容器本体と、前記容器本体の開口を閉塞可能な蓋とを備え、前記蓋は、前記開口を覆って前記容器本体に装着可能な蓋本体と、前記蓋本体から下方に延びて前記容器本体に収納可能な筆部とを有する液体収納容器であって、
前記容器本体の開口端部には、前記筆部の先端を異なる形状にしごき可能な複数のしごき手段が形成されており、
前記しごき手段として、しごき片が前記容器本体の下り傾斜した内面に設けられており、前記しごき片と前記容器本体の前記開口の周縁部との間に間隙が形成され、前記間隙が、前記しごき片の上方、及び前記容器本体の筒軸周りの方向における前記しごき片の両側に開放されており、
前記容器本体に収納される液体は、前記蓋によって前記開口が閉塞された状態において、前記容器本体と前記筆部とによって密封可能であることを特徴とする液体収納容器。
【請求項２】
前記容器本体の開口端部には、前記しごき手段として、前記容器本体の筒軸周りに複数のしごき片が設けられ、前記しごき片の少なくとも一つには、上方に開放された切り欠きが形成されていることを特徴とする請求項１に記載の液体収納容器。
【請求項３】
前記切り欠きは、矩形状、Ｖ字状またはＵ字状に形成されていることを特徴とする請求項２に記載の液体収納容器。
【請求項４】
前記しごき手段は、前記容器本体の内面から前記開口に臨んでいることを特徴とする請求項１乃至３のいずれか一項に記載の液体収納容器。
【請求項５】
前記容器本体の前記しごき手段より内側の部位には、前記容器本体の筒軸に向かって下方に傾斜する傾斜部が設けられていることを特徴とする請求項１乃至４のいずれか一項に記載の液体収納容器。
【請求項６】
前記筆部は、前記容器本体に収納された状態で、前記傾斜部と接触していることを特徴とする請求項５に記載の液体収納容器。
【請求項７】
前記容器本体は、前記液体を収納可能な胴部と、前記胴部の上端部に設けられる頭部とを有し、
前記蓋本体は、前記頭部を覆って装着可能に形成され、
前記頭部は、上端に前記開口が形成されると共に、前記開口端部より下方に前記傾斜部が設けられ、
前記しごき手段は、前記傾斜部と前記開口との間に設けられていることを特徴とする請求項５又は６に記載の液体収納容器。
【発明の詳細な説明】
【技術分野】
【０００１】
本発明は、液体収納容器に関し、詳細には、外壁材等の建築用材料の施工時に用いられる液体を収納するのに適した液体収納容器に関する。
【背景技術】
【０００２】
外壁材等の建築用材料の施工現場では、筆やヘラのような塗布具を有底筒状の缶に入った塗料に浸し、浸した部分を缶の開口端に押し付けて余分な塗料を缶に戻す作業を行うことがある。
【０００３】
特許文献１には、液体を収納可能な上方に開口する有底筒状のビン本体と、このビン本体内に収納可能な筆部が設けられたキャップとを備え、ビン本体には、開口内側に向かって下方に傾斜するように延びるロート状構造が設けられた筆つきビンが開示されている。この筆つきビンを用いて建築用材料を施工する場合、キャップを把持して筆先に付着した余分な塗料をビン本体の開口端でしごくことにより、塗料がロート状構造部分を伝ってビン本体に戻る。
【先行技術文献】
【特許文献】
【０００４】
【特許文献１】登録実用新案第３０５０９１４号公報
【発明の概要】
【発明が解決しようとする課題】
【０００５】
ところで、施工現場では、塗料の塗布箇所の大きさに応じて、筆先を様々な幅寸法で塗り分けたいというニーズがある。特許文献１の筆つきビンでは、筆先をビン本体の開口端に押し付け、その押し付ける力の強さによって筆先の幅寸法を調整するようにしている。
【０００６】
しかし、筆先をビン本体の開口端に押し付けて筆先の幅寸法を調整しようとしても、押し付け力によって筆先の幅寸法が変化する。そのため、筆先の幅寸法を調整しづらく、また調整作業にも時間がかかることがあった。
【０００７】
本発明は上記の点に鑑みてなされたものであり、筆先を短時間で所望の形状に整えやすい液体収納容器を提供することを目的とするものである。
【課題を解決するための手段】
【０００８】
本発明に係る液体収納容器は、上方に開口を有し、液体が収納可能な略有底筒状の容器本体と、前記容器本体の開口を閉塞可能な蓋とを備え、前記蓋は、前記開口を覆って前記容器本体に装着可能な蓋本体と、前記蓋本体から下方に延びて前記容器本体に収納可能な筆部とを有する液体収納容器であって、前記容器本体の開口端部には、前記筆部の先端を異なる形状にしごき可能な複数のしごき手段が形成されており、前記しごき手段として、しごき片が前記容器本体の下り傾斜した内面に設けられており、前記しごき片と前記容器本体の前記開口の周縁部との間に間隙が形成され、前記間隙が、前記しごき片の上方、及び前記容器本体の筒軸周りの方向における前記しごき片の両側に開放されており、前記容器本体に収納される液体は、前記蓋によって前記開口が閉塞された状態において、前記容器本体と前記筆部とによって密封可能であることを特徴とする。
【発明の効果】
【０００９】
本発明は、筆部の先端が複数のしごき手段で各種の形状にしごき可能であり、筆先（筆部の先端）を短時間で所望の形状に整えやすい。
【図面の簡単な説明】
【００１０】
【図１】図１は液体収納容器の一例を示す一部が破断した正面図である。
【図２】図２Ａは外容器の一例を示す一部が破断した正面図である。図２Ｂは外容器の一部の一例を示す断面図である。
【図３】図３Ａは中栓の一例を示す平面図である。図３Ｂは中栓の一例を示す断面図である。図３Ｃは中栓の一例を示す底面図である。
【図４】図４Ａは中栓の一例を示す斜視図である。図４Ｂは中栓の一例を示す斜視図である。
【図５】図５Ａは切り欠きの一例を示す正面図である。図５Ｂは切り欠きの他の一例を示す正面図である。図５Ｃは切り欠きのさらに他の一例を示す正面図である。図５Ｄは切り欠きのさらに他の一例を示す正面図である。
【図６】図６は蓋の一例を示す一部が破断した正面図である。
【発明を実施するための形態】
【００１１】
以下、本発明を実施するための形態を説明する。図１のように、本実施の形態の液体収納容器１は、容器本体３と蓋４とを備えている。
【００１２】
（容器本体３の説明）
容器本体３は、外容器３１と中栓３２とを備えている。
【００１３】
図２Ａのように、外容器３１は、上方に装着口１２を有し、液体が収納可能な略有底筒状に形成されている。外容器３１は、略有底円筒状の胴部１０と、略円筒状の上頭部３３と、略円筒状の下頭部（首部）３４とを備えている。上頭部３３及び下頭部３４は胴部１０の上方に形成されている。下頭部３４は上頭部３３と胴部１０の間に設けられ、胴部１０と上頭部３３とを連結している。胴部１０の直径は上頭部３３及び下頭部３４の直径よりも大きく形成されている。上頭部３３の直径は下頭部３４よりも大きく形成されている。装着口１２は上頭部３３の上端に開口して形成されている。図２Ｂのように、上頭部３３の外周面には雄ねじ１３が設けられている。
【００１４】
図３Ａ、図３Ｂ、図３Ｃ及び図４Ａ、図４Ｂのように、中栓３２は、本体部１５と、スカート部１８と、複数のしごき片７１とを備えている。本体部１５は漏斗のような形状を有している。本体部１５は大径部１６と小径部１７とを備えている。大径部１６は小径部１７よりも外径及び内径が大きく形成されている。小径部１７は大径部１６の下側に突出している。小径部１７は外径及び内径が下端ほど小さくなるようなテーパーに形成されている。大径部１６の上端は上開口１９として開口されている。上開口１９の開口縁部には突起２２が設けられている。突起２２は上開口１９の開口縁部の全周にわたって設けられている。突起２２は上開口１９の開口縁部より外側に突出している。大径部１６の上部の内面は略垂直に形成される。大径部１６の下部の内面は上部よりも緩やかな曲面に形成され、中栓３２の筒軸に向かって下り傾斜している。小径部１７の下端は下開口２０として開口されている。小径部１７の内面は略垂直に形成されるが、中栓３２の筒軸に向かってやや下り傾斜している。スカート部１８は小径部１７の外周を囲うように略筒状に設けられている。スカート部１８の上端は大径部１６の外面に一体に形成されている。スカート部１８と小径部１７との間には複数（例えば、三つ）の支持部２５が設けられている。複数の支持部２５はスカート部１８の周方向に間隔を介して並べて形成されている。スカート部１８の下端は小径部１７の下端とほぼ同じ高さ位置に形成されている。スカート部１８と小径部１７との間は保液空隙２１で形成されている。保液空隙２１は下面が開口する空隙であって、液体が流入及び流出可能に形成されている。保液空隙２１は複数の支持部２５で区切られている。
【００１５】
しごき片７１はしごき手段７として形成されている。しごき手段７は、後述する筆部６の先端である筆先２３をしごき可能に形成されている。すなわち、筆先２３は、しごき手段７の表面に沿って動かされたり押し当てられたりしてしごかれることにより、所望の形状に整えられる。また、筆部６は、しごき手段７の表面に沿って動かされたり押し当てられたりすることで、筆部６（特に、筆先２３）に付着している余分な液体が掻き取られる。しごき片７１は、内面が凹曲し、外面が凸曲するような湾曲した板状に形成されている。しごき片７１は連結部２４を介して大径部１６の内面に設けられている。従って、しごき片７１の外面と大径部１６の内面との間には連結部２４の寸法だけ間隙が形成されている。図５Ｄのように、しごき片７１は正面視（内面側から見た場合）で矩形状に形成されている。また、しごき片７１には切り欠き８が形成されていても良い。切り欠き８は、しごき片７１の上端面と内面と外面とに開口して形成されている。図５Ａのように、正面視でＶ字状に形成されたり、図５Ｂのように、正面視で矩形状に形成されたり、図５Ｃのように、正面視でＵ字状に形成されたりしている。切り欠き８を有するしごき片７１で筆先２３がしごかれる場合、筆先２３は、通過した切り欠き８に対応した寸法や形状に整えられる。切り欠き８のないしごき片７１で筆先２３がしごかれる場合、筆先２３は、しごき片７１の表面に押し当てられて、平たく整えられる。
【００１６】
複数のしごき片７１は中栓３２の筒軸周りに並べて設けられている。しごき片７１は一つの中栓３２に例えば三つ設けられるが、この個数に限定されるものではなく、一つ又は二つのしごき片７１が設けられていても良いし、四つ以上のしごき片７１が設けられていても良い。また、複数のしごき片７１は同一の形状であっても良いし、異なる形状であってもよい。例えば、複数のしごき片７１のそれぞれに設けられた切り欠き８の形状が異なっていても良い。また、複数のしごき片７１のうちの一部に切り欠き８が形成され、残りのしごき片７１には切り欠き８が設けられていなくても良い。しごき片７１の上端部は上開口１９に臨んでおり、従って、しごき片７１の上端部は上開口１９よりも上方に突出している。また、しごき片７１の下端は傾斜部９の上下方向の略中央部と略同じ高さに位置している。
【００１７】
そして、容器本体３は、外容器３１の装着口１２に中栓３２を嵌め込むことにより形成される。外容器３１の上頭部３３と下頭部３４及び中栓３２により、容器本体３１の頭部１１が形成される。このとき、中栓３２の突起２２の下面は装着口１２の開口縁部の上面に密着している。また大径部１６の外面は上頭部３３の内面に密着している。またスカート部１８の外面が下頭部３４の内面に密着している。またスカート部１８の下端と小径部１７の下端は下頭部３４の下端と略同じ高さに位置している。また中栓３２の筒軸の位置と外容器３１の筒軸との位置は一致している。また中栓３２の上開口１９が容器本体３の開口２となる。従って、容器本体３の開口端部（開口２を設けた上端部）である頭部１１には、容器本体３の筒軸周りに複数のしごき片７１が設けられることになる。また小径部１７は傾斜部９として形成される。傾斜部９の上端はしごき手段７よりも内側（容器本体３の筒軸側）に位置している。また、傾斜部９の下端は容器本体３の筒軸に向かって下方にやや傾斜している。
【００１８】
ここで、筆先２３をしごくためのしごき手段７としては、しごき片７１に加えて、開口２の周縁部もしごき手段７として形成される。従って、しごき片７１が一つの場合でも、このしごき片７１と開口２の周縁部とで、筆先２３を異なる形状にしごき可能な複数のしごき手段７が形成されていることになる。そして、しごき片７１は容器本体３の内面から開口２に臨んでおり、しごき片７１が容器本体３の内面に設けられているため、筆先２３がしごき片７１でしごかれることにより流れ落ちた液体が、しごき片７１よりも下方の中栓３２の内面（小径部１７の内面）を伝って外容器３１の胴部１０にまで達することになり、液体が容器本体３の開口端部に付着しにくい。
【００１９】
（蓋４の説明）
図６のように、蓋４は、蓋本体５と筆部６とを備えている。
【００２０】
蓋本体５は、略円筒状の側壁部５１と、側壁部５１の上面開口を閉塞する閉塞部５２とを備え、下面が開口する断面略コ字状に形成されている。側壁部５１の外周面には複数の突条５３が設けられている。突条５３は蓋４を開閉する際の滑り止めのために設けられている。側壁部５１の内周面には雌ねじ５４が設けられている。雌ねじ５４は容器本体３の外容器３１の雄ねじ１３と嵌め合わせ可能に形成されている。閉塞部５２の内面（下面）にはリング５５が設けられている。底面視において、リング５５は蓋４の筒軸を中心とする円環状に形成されている。またリング５５は閉塞部５２の内面から下方に突出し、断面がくさび状に形成されている。
【００２１】
筆部６は、蓋４の筒軸と略同位置に形成されており、閉塞部５２の下面から蓋本体５の下端よりも下側に突出して形成されている。筆部６は、閉塞部５２の下面に一体に形成されるテーパー部５６と、テーパー部５６の下端から下方に突出する軸部５７と、軸部５７の先端に設けた刷毛５８とで形成されている。テーパー部５６は上部から下部に向かって徐々に外径が小さくなっている。テーパー部５６の内部には空隙５９が設けられており、これにより、テーパー部５６は弾性変形可能に形成されている。また軸部５７の下端には、下面に開口する差し込み凹部６０が設けられている。差し込み凹部６０には刷毛５８の上部が差し込まれて保持されている。刷毛５８は多数の繊維束で形成されている。そして、刷毛５８の下端は軸部５７よりも下側に突出して筆先２３が形成されている。
【００２２】
（液体収納容器１の説明）
液体収納容器１は、上記のような容器本体３と蓋４とを備えている。容器本体３の胴部１０には液体が収納される。液体としては、外装材補修用の塗料などが挙げられる。蓋４は容器本体３に装着されて開口２を閉塞する。この場合、蓋本体５は、雄ねじ１３と雌ねじ５４とを嵌め合わせることにより、容器本体３の頭部１１に装着される。これにより、容器本体３の開口２が蓋本体５で覆われて閉塞され、容器本体３の胴部１０に収納した液体が溢れにくくなる。
【００２３】
蓋４は、開口２から容器本体３内に筆部６が差し入れられるようにして容器本体３に装着される。容器本体３内に差し入れられた筆部６は胴部１０に収納された液体に浸かっている。これにより、筆先２３に液体が付着する。筆先２３に付着した液体を使用する場合は、蓋４が回転されて雄ねじ１３と雌ねじ５４の嵌め合わせが外された後、筆部６が開口２から引き抜かれるようにして蓋４が持ち上げられる。このようにして容器本体３と蓋４とが分離した後、上記のようにしごき手段７で筆先２３がしごかれて整えられる。その後、所望の箇所に筆先２３が接触されて液体が塗布されたりする。
【００２４】
蓋４が容器本体３に装着された状態で、リング５５が開口２の周縁部において突起２２の上面に接触することになる。これにより、蓋本体５の閉塞部５２と容器本体３の開口２の縁部とが全周にわたってリング５５で閉塞されることになり、容器本体３の胴部１０に収納した液体が密封されて漏れ出しにくくなり、また液体の揮発も生じにくくなり、液体を長期間にわたって保管することが可能となる。
【００２５】
また蓋４を容器本体３に装着した状態で、筆部６のテーパー部５６が傾斜部９の内側（小径部１７の内側）に差し込まれた状態となる。このとき、テーパー部５６の外周面が傾斜部９の内面（小径部１７の内面）に全周にわたって密着することになる。これにより、筆部６と中栓３２との隙間が閉塞され、容器本体３の胴部１０に収納した液体が密封されて漏れ出しにくくなり、また液体の揮発も生じにくくなり、液体を長期間にわたって保管することが可能となる。ここで、テーパー部５６は空隙５９により弾性変形可能に形成されているので、テーパー部５６の外径が傾斜部９の内径（小径部１７の内径）よりもやや大きいと、テーパー部５６の弾性力により、テーパー部５６の外周面を傾斜部９の内面（小径部１７の内面）に密着させやすくなる。
【００２６】
さらに、容器本体３には、頭部１１の位置において、胴部１０に向いて開口する保液空隙２１が設けられている。従って、蓋４を容器本体３に装着した状態で、液体収納容器１が傾いたり倒れたりして、胴部１０に収納した液体が下開口２０に近づいても、その液体は保液空隙２１に流入しやすくなる。従って、胴部１０に収納した液体が下開口２０を通じて開口２へと流れにくくなり、液体の漏れ出しがさらに生じにくくなり、また液体の硬化による筆部６と傾斜部９と固着が生じにくくなる。
【００２７】
また、液体収納容器１では、外容器３１と中栓３２とが別体で形成され、容器本体３の頭部１１にしごき手段７及び傾斜部９が設けられている。このため、しごき手段７等の各部の形状を変更する際には、頭部１１のみ設計変更すれば良い。例えば、中栓３２だけを形状の異なる他の種類のものに取り替えることにより、しごき片７１の形状や個数の異なる頭部１１が容易に形成される。
【００２８】
尚、液体収納容器１は、塗料等の液体を収納するためのものであるため、耐溶剤性の高い材料で形成されるのが好ましく、例えば、ポリプロプレンなどで形成されるのが好ましい。また上記の液体収納容器１では、外容器３１と中栓３２とが別体で形成されているが、これらを一体的に成形してもよい。
【００２９】
（本実施の形態の特徴）
以上説明したように、本実施の形態の液体収納容器は、次のような特徴を有する。
【００３０】
本実施の形態の液体収納容器１は、上方に開口２を有し、液体が収納可能な略有底筒状の容器本体３と、開口２を閉塞可能な蓋４とを備える。蓋４は、開口２を覆って容器本体３に装着可能な蓋本体５と、蓋本体５から下方に延びて容器本体３に収納可能な筆部６とを有する。容器本体３の開口端部には、筆部６の先端を異なる形状にしごき可能な複数のしごき手段７が形成されている。容器本体３に収納される液体は、蓋４によって開口２が閉塞された状態において、容器本体３と筆部６とによって密封可能である。
【００３１】
このような液体収納容器１は、筆部６の先端が複数のしごき手段７で各種の形状にしごき可能であり、筆部６の先端を短時間で所望の形状に整えやすくなる。また筆部６から液体が垂れ落ちにくくなって、例えば、施工現場や各種建築用材料を液体で汚すことを軽減することが可能となり、結果として、施工現場での作業が軽減される。また容器本体３に収納される液体は、開口２が蓋４で閉塞されること及び容器本体３と筆部６の密封により、容器本体３から漏れ出にくい。
【００３２】
本実施の形態の液体収納容器１において、容器本体３の開口端部には、しごき手段７として、容器本体３の筒軸周りに複数のしごき片７１が設けられ、しごき片７１の少なくとも一つには、上方に開放された切り欠き８が形成されていることが好ましい。この場合、筆部６の先端はしごき片７１に形成された切り欠き８によって整えられるため、筆部６の先端が切り欠き８の幅寸法とほぼ同程度に調整しやすくなり、筆部６の先端は所望の幅寸法に短時間で調整しやすい。
【００３３】
本実施の形態の液体収納容器１において、切り欠き８は、矩形状、Ｖ字状またはＵ字状に形成されていることが好ましい。この場合、様々な形状の切り欠き８によって筆部６の先端を整えることができ、筆部６の先端の幅寸法が様々な大きさに調整しやすい。
【００３４】
本実施の形態の液体収納容器１において、しごき手段７は、容器本体３の内面から開口２に臨んでいることが好ましい。この場合、しごき手段７が容器本体３の内面に設けられているため、筆部６の先端がしごかれることにより流れ落ちた液体が容器本体３の開口端部に付着しにくい。従って、液体が塗料等であっても容器本体３の開口端部で硬化しにくくなって、蓋４を閉めたときに容器本体３の開口端部と蓋４との間に隙間が生じにくく、容器本体３の開口端部と蓋４との間から液体が漏れ出ることがほとんどない。
【００３５】
本実施の形態の液体収納容器１において、容器本体３のしごき手段７より内側の部位には、容器本体３の筒軸に向かって下方に傾斜する傾斜部９が設けられていることが好ましい。この場合、しごき手段７から流れ落ちた液体が傾斜部９を伝って容器本体３内に流れ落ちやすい。
【００３６】
本実施の形態の液体収納容器１において、筆部６は、容器本体３に収納された状態で、傾斜部９と接触していることが好ましい。この場合、筆部６と傾斜部９とで容器本体３内の液体が密封されることになり、液体が漏れ出るのを確実に防止しやすい。
【００３７】
本実施の形態の液体収納容器１において、容器本体３は、液体を収納可能な胴部１０と、胴部１０の上端部に設けられる頭部１１とを有し、蓋本体５は、頭部１１を覆って装着可能に形成され、頭部１１は、上端に開口２が形成されると共に、開口端部より下方に傾斜部９が設けられ、しごき手段７は、傾斜部９と開口２との間に設けられていることが好ましい。この場合、頭部１１にしごき手段７及び傾斜部９が設けられているため、これら各部の形状を変更する際には、頭部１１のみ設計変更すれば良い。
【符号の説明】
【００３８】
１  液体収納容器
２  開口
３  容器本体
４  蓋
５  蓋本体
６  筆部
７  しごき手段
７１  しごき片
８  切り欠き
９  傾斜部
１０  胴部
１１  頭部
【図１】
0006401040.tif 000002
【図２】
0006401040.tif 000003
【図３】
0006401040.tif 000004
【図４】
0006401040.tif 000005
【図５】
0006401040.tif 000006
【図６】
0006401040.tif 000007